(57)【要約】【課題】スライダ部材におけるカム機構の幅を削減し、小型化を実現する。【解決手段】記録再生装置に取り付けられ、メモリーカードを挿入するためのスロットを有し挿入されたメモリーカードを収容するケーシング部と、挿入されたメモリーカードの端子部と接続されるコネクタ部を有するメモリーカードコネクタである。ケーシング部内には、カム機構を有するスライダ部材と、このスライダ部材のカム機構に係止されるロックピンとを有するスライド機構が設けられている。カム機構は、スライダ部材の側面に形成されている【選択図】　図３
2004119266.tif 000002
【特許請求の範囲】
【請求項１】
記録再生装置に取り付けられ、メモリーカードを挿入するためのスロットを有し挿入されたメモリーカードを収容するケーシング部と、挿入されたメモリーカードの端子部と接続されるコネクタ部を有するメモリーカードコネクタにおいて、
上記ケーシング部内には、カム機構を有するスライダ部材と、このスライダ部材のカム機構に係止されるロックピンとを有するスライド機構が設けられ、
上記カム機構は、上記スライダ部材の側面に形成されていることを特徴とするメモリーカードコネクタ。
【請求項２】
上記カム機構は、ハートカムを有することを特徴とする請求項１記載のメモリーカードコネクタ。
【請求項３】
上記スライド機構において、上記スライダ部材はメモリーカードの挿入、排出に伴ってスライドすることを特徴とする請求項１記載のメモリーカードコネクタ。
【請求項４】
上記スライダ部材は、メモリーカードを押し込んだ状態で上記カム機構及びロックピンによりロックされ、この状態からさらにメモリーカードを押し込むことによりロック状態が解除されることを特徴とする請求項３記載のメモリーカードコネクタ。
【発明の詳細な説明】
【０００１】
【発明の属する技術分野】
本発明は、メモリーカードを記録再生装置に装着するためのメモリーカードコネクタに関するものであり、特に、スライド機構の改良に関するものである。
【０００２】
【従来の技術】
内部に情報を記録する半導体素子を有するメモリーカードは、小型、軽量であり、取り扱いが容易であることから、リムーバブルな記録素子として広く用いられている。メモリーカード用の記録再生装置は、メモリーカードを装着し、さらには装着されたメモリーカードを排出するための機構を有し、装着されたメモリーカードにアクセスして情報の記録を行ったり、メモリーカードに記録された情報の読み取りを行う。
【０００３】
メモリーカードを装着し、装着されたメモリーカードを排出するための機構としては、スライダを有するスライド機構が設けられており、メモリーカードコネクタに設けられたコネクタ部を介してメモリーカードと記録再生装置の間でデータの授受が行われるとともに、上記スライダの動作によりメモリーカードの装着位置での固定や円滑な排出動作が行われる。
【０００４】
【発明が解決しようとする課題】
ところで、上記スライド機構においては、メモリーカードの装着位置にスライダ部材を位置決め固定したり、メモリーカード取り出し時に前記固定状態を解除する必要があり、いわゆるハートカムとロックピンとを組み合わせたカム機構が設けられている。
【０００５】
図６は、従来のメモリーカードコネクタ１０１におけるスライダ機構の取り付け状態を示すものである。メモリーカードコネクタ１０１には、メモリーカード１０２の挿入に伴いスライドするスライダ１０３が設けられており、その一部にハートカム１０４が刻まれるとともに、ここにロックピン１０５が係合され、メモリーカード１０２の位置決め固定及び解除が行われる。ここで、上記ハートカム１０４が刻まれた面は、製品平面方向にセットされており、ここに上方からロックピン１０５が差し込まれている。
【０００６】
このような配置とした場合、図７に示すように、ハートカム１０４の機構幅はロックピン１０５の線径に左右され、これを小さくすることは困難である。ロックピン１０５をあまり細くするとロックのための強度を確保することができず、線径を細くするには自ずと限界がある。ハートカム１０４によるロック機構では、ロックピン１０５の線径に対応した通路幅ｗが必要であり、幅方向の寸法が大きくなり、製品の幅方向の寸法の増加に繋がる。
【０００７】
本発明は、このような従来のものの有する欠点を解消するために提案されたものであり、スライダ部材におけるカム機構の幅を削減することができ、小型化が可能なメモリーカードコネクタを提供することを目的とする。
【０００８】
【課題を解決するための手段】
上述の目的を達成するために、本発明のメモリーカードコネクタは、記録再生装置に取り付けられ、メモリーカードを挿入するためのスロットを有し挿入されたメモリーカードを収容するケーシング部と、挿入されたメモリーカードの端子部と接続されるコネクタ部を有するメモリーカードコネクタにおいて、上記ケーシング部内には、カム機構を有するスライダ部材と、このスライダ部材のカム機構に係止されるロックピンとを有するスライド機構が設けられ、上記カム機構は、上記スライダ部材の側面に形成されていることを特徴とするものである。
【０００９】
本発明のメモリーカードコネクタにおいては、カム機構（ハートカム）をスライダ部材の側面に刻んでいるため、スライダ部材の幅方向における寸法が削減される。内蔵部品であるスライダ部材の幅方向寸法を小さくすることができれば、製品（メモリーカードコネクタ）全体の幅方向の寸法を小さくし、小型化することができる。
【００１０】
【発明の実施の形態】
以下、本発明を適用したメモリーカードコネクタについて、図面を参照しながら詳細に説明する。
【００１１】
図１は本発明を適用したメモリーカードコネクタの一例を示す斜視図であり、図２は上記メモリーカードコネクタ１を分解した状態を示す斜視図である。
【００１２】
本例のメモリーカードコネクタ１は、金属製のプレート２とプラスチック製のハウジング３とを組み合わせることにより構成されるもので、これらを組み合わせることで筐体状のケーシング部が形成されている。
【００１３】
金属製のプレート２は、基本的には窓部２ｂを有する上面板２ａと、その両側に形成された側壁部２ｃとからなり、これらが金属板を折り曲げ加工することにより一体的に形成されている。さらに、上記側壁部２ｃの所定の箇所には、当該側壁部２ｃに対して直交する方向に折り曲げられ、外方に向かって突出する係止片４が形成されており、これを記録再生装置の機器本体内に係止することで、記録再生装置に取り付けるようになっている。
【００１４】
一方、ハウジング３は、プラスチックの成型品よりなり、プレート２と同様、窓部３ｂを有する底面板３ａと、側壁部３ｃとを有する。そして、この側壁部３ｃが上記プレート２の側壁部２ｃの内側に入り込むようにプレート２とハウジング３とを組み合わせることで、メモリーカードを収容するケーシング部が構成される。ケーシング部は、開口部であるスロット５を有し、メモリーカード６は、図１に示すように、このスロット５からメモリーカードコネクタ１に挿入され、装着される。
【００１５】
上記メモリーカードコネクタ１にはコネクタ部７が設けられており、装着されたメモリーカード６においては、このコネクタ部７を介して記録再生装置との間でデータのやり取りが行われる。上記コネクタ部７は、図２に示すように、プラスチック製のハウジング３に複数の端子ピン７ａを配列することにより構成されており、これら端子ピン７ａがメモリーカード６の端子部と接触して電気的な導通が図られる。また、各端子ピン７ａはハウジング３の外部に突出しており、この突出部が記録再生装置に設けられたコネクタ部に接続され、記録再生装置側との接続が図られる。
【００１６】
また、上記メモリーカードコネクタ１には、メモリーカード６の収容及び排出を補助するためのスライダ機構が設けられており、メモリーカード６の円滑な装着動作、排出動作を実現している。
【００１７】
ここで、上記スライダ機構は、図２に示すように、ハウジング３に取り付けられたスライダ部材８、このスライダ部材８を矢印Ａ方向に付勢するコイルスプリング９、及び係止ピン１０とから構成され、上記スライダ部材８に形成されたハートカムに上記係止ピン１０を係止することで、スライダ部材８のメモリーカード装着位置での固定及び解除が行われる。なお、コイルスプリング９の基端側には金属製のシャフト１１が挿入されており、これにより上記コイルスプリング９が位置決めされるとともに、座屈が防止される。
【００１８】
上記スライダ部材８は、その一端部８ａに前述のハートカムが設けられるとともに、メモリーカード６の係止凹部に係合してこれを位置決め固定する金属製の位置決め固定ピンが植立されている。
【００１９】
上記スライダ部材８において、上記ハートカム８３や係止ピン１０の通路となる溝８１，８２は、図３に示すように側面に刻まれており、その平面幅が大幅に削減されている。具体的には、図４に示す斜線領域分だけ幅方向の寸法が減少する。
【００２０】
さらに、上記プレート２には、内側に折り曲げ形成されたガイド板が設けられており、上記スライド部材８はこのガイド板に規制されてスライドするような構成とされている。同時に、図１に示すように、スライド部材８のプレート２と対向する面に凸部８ｂが設けられるとともに、プレート２の上面板２ａに形成されたスリット２ｄにこの凸部８ｂが挿入され、これによってもスライド部材８のスライドがガイドされている。なお、上記ガイド板の前方部分は高さが高くなっており、これがスライド部材８に当接してスライド範囲を規制するストッパとしての役割を果たしている。
【００２１】
メモリーカード６を挿入した際には、メモリーカード６は上記スライダ部材８とともにコイルスプリング９に抗して押し込まれる。所定の位置まで押し込まれると、スライダ部材８はハートカム機構により位置決め固定され、それと同時にメモリカード６も位置決め固定ピン８ｂによって位置決め固定される。このとき、メモリーカード６の端子部は、上記ハウジング３側のコネクタ部７の各接続ピン７ａと接続される。メモリーカード６を取り出す際には、一度メモリーカード６を少し押し込む。すると、上記ハートカム機構による位置決め固定状態が解除され、スライダ部材８はコイルスプリング９によって押圧され、矢印Ｂ方向にスライドする。これに伴ってメモリーカード６も排出され、メモリーカードコネクター１のケーシング部から突出する。このメモリーカード６の突出部分を指でつまんで取り出せばよい。
【００２２】
図５は、このときのスライダ機構の動作を説明するものである。上記スライド部材８は、その側面に形成されたハートカムと係止ピン１０によってメモリーカード装着位置での固定及び解除が行われる。スライダ部材８の側面には、図５（ａ）に示すように、水平方向の第１の通路８１及び図中下方に斜めに延びる第２の通路８２が溝部として形成されており、これら通路８１、８２間の中途部には、ハート形をしたハートカム８３が設けられており、このハートカム８３の作用によって係止ピン１０の動作が規制される。
【００２３】
メモリーカード６未挿入時には、図５（ａ）に示すように、係止ピン１０は上記第１の通路８１の左端位置にある。そして、メモリーカード６の挿入に伴ってスライダ部材８がスライドし、これとともに係止ピン１０は図中右方向に移動する。このとき、ハートカム８３の切片８３ａが第１の通路８１を塞ぐかたちになっているが、これを順方向に押圧することで、上記係止ピン１０は図５（ｂ）に示すようにここを通過し、図５（ｃ）に示すように、第１の通路８１の右端位置に到達する。この第１の通路８１の右端位置は、次第に溝の深さが浅くなり、他の部分に比べて一段高くなっている。
【００２４】
この状態から若干スライダ部材８がコイルスプリング９によって押し戻されると、上記係止ピン１０は、上記ハートカム８３の切片８３ａによって行く手を遮られ、ハートカム８３の凹部８３ｂの空間に入る。このハートカム８３の凹部８３ｂの空間は、上記第１の通路８１の右端部分より深さが深くなっており、図５（ｄ）に示すように、上記係止ピン１０はこの空間に速やかに導かれ安定する。この状態がスライダ部材８のロック状態であり、メモリーカード６の挿入固定状態である。
【００２５】
この状態からメモリーカード６を少々押し込むと、上記係止ピン１０は、段差のために第１の通路８１側には戻れず、図５（ｅ）に示すように、第２の通路８２の右端に導かれる。その後、上記押し込みを解除すると、スライダ部材８はコイルスプリング９に押されて戻り、このとき係止ピン１０は第２の通路８２を左方向に走行し、第１の通路８１の左端位置に復帰する。これがメモリーカード６の排出動作である。
【００２６】
【発明の効果】
以上の説明からも明らかなように、本発明においては、スライダ部材の幅を削減することができ、メモリーカードコネクタ全体の小型化が可能である。
【図面の簡単な説明】
【図１】本発明を適用したメモリーカードコネクタの一例を示す概略斜視図である。
【図２】メモリーカードコネクタを分解した状態を示す斜視図である。
【図３】スライダ部材におけるハートカム形成状態を示す斜視図である。
【図４】スライダ部材の削減状態を示す模式図である。
【図５】スライダ機構の動作説明のための図である。
【図６】従来のスライダ機構の取り付け状態を示す平面図である。
【図７】カム機構部を拡大して示す斜視図である。
【符号の説明】
１　　メモリーカードコネクタ
２　　プレート
３　　ハウジング
５　　スロット
６　　メモリーカード
７　　コネクタ部
８　　スライダ部材
９　　コイルスプリング
１０　　係止ピン
８１　　第１の通路
８２　　第２の通路
８３　　ハートカム
【図１】
2004119266.tif 000003
【図２】
2004119266.tif 000004
【図３】
2004119266.tif 000005
【図４】
2004119266.tif 000006
【図５】
2004119266.tif 000007
【図６】
2004119266.tif 000008
【図７】
2004119266.tif 000009